(57)【要約】【課題】  親機１００を載置する場所の自由度を高める。【解決手段】  コードレス電話機の親機１００は、回線Ｌと接続されていると共に、無線により子機２００と接続可能である。子機２００は充電器３００に載置されることにより充電可能であり、充電器３００はケーブルを介してドアホン４００と接続されている。尚、コードレス電話器へ電源を供給する為のアダプターは図示を省略している。又、ドアホンからの呼出音や訪問者の音声は、充電器３００に入力され、充電器３００を介して子機２００へ出力することが可能であり、又、子機２００から電波により親機１００へ送信することも可能である。【選択図】      図１
2007088869.tif 000002
【特許請求の範囲】
【請求項１】
親機と子機とからなるコードレス電話装置と、前記子機を充電する充電器と、ドアホンとからなり、
前記充電器は前記ドアホンと接続されていると共に前記充電器と前記子機とは接続可能であり、前記ドアホンからの信号を前記充電器を介して前記子機へ送信可能であり、前記子機へ送信された信号は、無線により前記子機から前記親機へ送信可能であることを特徴とする、ドアホンシステム。
【請求項２】
親機と子機とからなるコードレス電話装置と、ドアホンとからなり、
前記子機は前記ドアホンと接続されており、前記ドアホンから前記子機へ送信された信号は、無線により前記子機から前記親機へ送信可能であることを特徴とする、ドアホンシステム。
【請求項３】
親機と、該親機と無線で接続可能な子機とからなる、ドアホンと接続可能なコードレス電話装置であり、
前記子機は、ドアホンと接続する接続部を有し、前記ドアホンから入力した信号を無線により前記親機へ送信することを特徴とする、ドアホンと接続可能なコードレス電話装置。
【請求項４】
親機と、該親機と無線で接続可能な子機と、該子機を充電する充電器からなる、ドアホンと接続可能なコードレス電話装置であり、
前記充電器は、ドアホンと接続するドアホン接続部と、前記子機と接続する子機接続部とを有し、
前記子機は、前記充電器と接続する充電器接続部を有し、
前記ドアホンから出力される信号は、前記充電器のドアホン接続部及び子機接続部、前記子機の前記充電器接続部を介して子機へ送信され、更に、子機へ送信された前記信号は、無線により前記親機へ送信されることを特徴とする、ドアホンと接続可能なコードレス電話装置。
【発明の詳細な説明】
【技術分野】
【０００１】
本発明は、ドアホンと接続可能なコードレス電話装置及びドアホンシステムに関するものである。
【背景技術】
【０００２】
近年、ドアホンに関する様々な技術が提案されており、例えば特許文献１には、コードレス電話機子機の充電台に、ドアホン接続用ターミナルボックスを内蔵する技術が記載されている。
【特許文献１】特開平６−２４４９１０号公報
【発明の開示】
【発明が解決しようとする課題】
【０００３】
しかしながら、特許文献１記載の技術では、ターミナルボックスを内蔵した充電台と親機とを有線で接続している為、親機と充電台との間で配線する必要があり、配線工事の手間がかかるという問題がある。又、親機を配置可能な位置は、充電台と親機との間に配された有線の長さ分だけという制限がかけられる為、ユーザは親機を自由に配置することができない。
【課題を解決するための手段】
【０００４】
本願発明は、このような課題を解決する為のものであり、配線工事をできるだけかけなくて済ませることと、親機の配置位置にできるだけ制限をかけないようにすることを目的としている。
請求項１記載の発明は、親機と子機とからなるコードレス電話装置と、前記子機を充電する充電器と、ドアホンとからなり、前記充電器は前記ドアホンと接続されていると共に前記充電器と前記子機とは接続可能であり、前記ドアホンからの信号を前記充電器を介して前記子機へ送信可能であり、前記子機へ送信された信号は、無線により前記子機から前記親機へ送信可能であることを特徴とする。
請求項２記載の発明は、親機と子機とからなるコードレス電話装置と、ドアホンとからなり、前記子機は前記ドアホンと接続されており、前記ドアホンから前記子機へ送信された信号は、無線により前記子機から前記親機へ送信可能であることを特徴とする。
請求項３記載の発明は、親機と、該親機と無線で接続可能な子機とからなる、ドアホンと接続可能なコードレス電話装置であり、前記子機は、ドアホンと接続する接続部を有し、前記ドアホンから入力した信号を無線により前記親機へ送信することを特徴とする。
請求項４記載の発明は、親機と、該親機と無線で接続可能な子機と、該子機を充電する充電器からなる、ドアホンと接続可能なコードレス電話装置であり、前記充電器は、ドアホンと接続するドアホン接続部と、前記子機と接続する子機接続部とを有し、前記子機は、前記充電器と接続する充電器接続部を有し、前記ドアホンから出力される信号は、前記充電器のドアホン接続部及び子機接続部、前記子機の前記充電器接続部を介して子機へ送信され、更に、子機へ送信された前記信号は、無線により前記親機へ送信されることを特徴とする。
【発明の効果】
【０００５】
本発明は、大掛かりな配線工事を必要とせず、又、親機を子機から電波の届く範囲内であればどの場所に置いても良いという効果を奏するものであり、
請求項１及び４記載の発明によると、親機と子機間を無線で接続している為に親機を載置する場所の自由度が向上する。又、親機と子機間でケーブルを配置する工事を行う必要がない。
【０００６】
請求項２及び３記載の発明によると、親機と子機間を無線で接続している為に親機を載置する場所の自由度が向上し、又、親機と子機間でケーブルを配置する工事を行う必要がないだけでなく、子機とドアホンを充電器を介さずに接続している為、充電器とドアホンを接続する構成に比べ、部品点数を削減することができ、コストダウンを図れる。
【発明を実施するための最良の形態】
【０００７】
以下、本発明の具体例を実施例及び図面を用いて詳細に説明する。図１は本発明の実施例にかかるコードレス電話機のシステムを示す図、図２は図１における親機の構成を示すブロック図、図３は図１における子機の構成を示すブロック図である。尚、図３の一部に、充電器３００とドアホン４００も記載している。図４は子機２００の動作を示すフロー図であり、図５は親機１００の動作を示すフロー図である。
【実施例】
【０００８】
本発明を適用してなる第１実施例装置について以下に説明する。図１は、第１実施例装置のシステム図であり、コードレス電話機の親機１００は、回線Ｌと接続されていると共に、無線により子機２００と接続可能である。子機２００は充電器３００に載置されることにより充電可能であり、充電器３００はケーブルを介してドアホン４００と接続されている。尚、コードレス電話器へ電源を供給する為のアダプターは図示を省略している。又、ドアホン４００からの呼出音や訪問者の音声は、充電器３００に入力され、充電器３００を介して子機２００へ出力することが可能であり、又、子機２００から電波により親機１００へ送信することも可能である。
【０００９】
図２は親機１の要部構成をブロック図である。図２において、１１は着信検出回路で、電話回線Ｌに接続され、着信信号をパルス信号に波形整形して出力するものである。１２は発呼者番号検出回路であり、電話局より電話回線を介して発呼者の電話番号（発呼者番号）を検出する。検出する電話番号は市外局番と市内局番と加入者番号からなり、必ず市外局番を含んでいる。１３はネットワーク回路であり、電話回線に接続され回線の解放・閉結を行う。１４はダイヤル発信回路であり、後述の制御回路２３が指定するダイヤル番号を発信する。
【００１０】
１５はハンドセットであり、スピーカ１６とマイクロホン１７を有している。１８は受信回路であり、アンテナ１９を介して子機２からの信号を受信する。２０は送信回路であり、ネットワーク回路１４の出力信号をアンテナ１９を介して子機２へ発信する。２１はＰＬＬ回路であり、受信回路１８と送信回路２０の送受信周波数を変える。２２は切替回路であり、ネットワーク回路１３への接続をハンドセット１５側あるいは受信回路１８／送信回路２０側に切替える。
【００１１】
２３はマイクロプロセッサからなる制御回路であり、各部動作を制御するプログラムを記憶したＲＯＭ２４に基づき各部を制御する。尚、ＲＯＭ２４には、制御回路２３が通話時間の計時、通話料金の算出を行えるプログラムも書き込まれている。２５はＲＡＭであり、制御回路２３の動作に必要な情報を記憶する。２６はスピーカであり、回線からの着信時及びドアホン４００からの着信時に呼出音を出力する。又、子機２００を介してドアホン４００と通話をする際に、ドアホン４００からの音声信号を出力するスピーカでもある。
２７は緑色と赤色のバックライトを切り替え可能な液晶の表示手段であり、電話番号等を表示する。２８は入力手段であり、電話番号入力を行うテンキー２８１及び通話時間、通話料金の表示をするか否かを選択する選択キー２８２を有する。２９はハンドセット１５のオンフック、オフフックを検出するスイッチである。
【００１２】
３０は録音手段であり留守番電話機能が働いている場合に発信者の用件メッセージを録音するものである。録音手段３０の制御は、制御回路２３に蓄積されプログラムによって行われる。すなわち、ユーザが不在になる際に留守番電話機能を能動化（一般的には留守番電話機能キーの操作によって行われる）すると、制御回路２３は、着信があった場合に「ただいま留守にしております。合図音の後にご用件をお願いします」のようなメッセージを返し、発信者がこれに従って通話した用件メッセージを録音手段３０に録音することができる。用件メッセージの有無は、親機１、子機２に表示され、ユーザは後刻、親機１または子機２を用いて親機１に録音された用件メッセージを再生することができる。
【００１３】
３１はマイクであり、ドアホン４００と親機１００との間で通話する際に使用される。
【００１４】
図３は、子機２００の要部構成を示すブロック図である。図３において、３１は受信回路であり、アンテナ３２を介して親機１からの信号を受信する。３３は送信回路であり、入力信号をアンテナ３２を介して親機１へ発信する。３４はＰＬＬ回路であり、受信回路３１と送信回路３３の送受信周波数を変える。３５はスピーカであり、増幅回路３６で増幅された受信回路３１の電気信号を音声に変換する。３７はマイクロホンであり、音声を電気信号に変換する。３８は増幅回路であり、マイクロホン３７の出力を増幅して送信回路３３に出力する。
【００１５】
３９はマイクロプロセッサからなる制御回路であり、各部動作を制御するプログラムを記憶したＲＯＭ４０に基づき各部を制御する。４１はＲＡＭであり、制御回路３９の動作に必要な情報を記憶する。４２はベルであり、着信時に呼出音を出力する。４３は緑色と赤色のバックライトを切替え可能な液晶の表示手段であり、電話番号、通話時間、通話料金等を表示する。４４は入力手段であり、通話を開始するための通話キー４４１、通話を終了するための切キー４４２、ダイヤル番号を入力するためのテンキー４４３を有する。
【００１６】
４５は充電器３００のコネクタ３１０と接続する為のコネクタである。又、充電器３００にはドアホン４００と接続する為のコネクタ３２０を有しており、ドアホン４００からプッシュボタンが押下されたことを示す信号と、訪問者の音声信号は、ドアホン４００、コネクタ３２０、充電器３００、コネクタ３１０、コネクタ４５を介して子機２００へ入力される。
【００１７】
又、子機２００の制御回路３９は、ドアホン４００からプッシュボタンが押下されたことを示す信号を検出すると、スピーカ４２から例えば、「ピンポ〜ン」といった呼出音を出力する。又、送信回路３３を制御することにより親機１００と無線で接続し、親機１００のスピーカから呼出音を出力することもできる。
【００１８】
更に、子機２００の制御回路３９は、ドアホン４００から訪問者の音声信号を受信すると、スピーカ４２やスピーカ３５から訪問者の音声信号を出力することが可能であり、又、送信回路３３を制御することにより親機１００と無線で接続し、親機１００のスピーカから音声信号を出力することも可能である。
【００１９】
４６はマイクであり、ドアホン４００との間で通話を行う際に使用される。
【００２０】
次に、図４及び図５を用いて第１実施例の動作について説明する。
【００２１】
図４は子機２００の動作を示すフロー図であり、図５は親機１００の動作を示すフロー図である。
【００２２】
図４のＳ１ステップにおいて、制御回路３９は、ドアホン４００から呼び出しがあるか否かを判定する。具体的には、訪問者によりドアホン４００のプッシュボタンが押下されると、呼出信号が、充電器３００のコネクタ３２０、コネクタ３１０を介してコネクタ４５に入力される。呼出信号を検出した制御回路３９は、呼出ありと判定し、Ｓ２ステップへ処理を進める。
【００２３】
Ｓ２ステップでは、制御回路３９は、スピーカ４２から呼出音（例えば、「ピンポ〜ン」という音）を出力させる。
【００２４】
続くＳ３ステップでは、制御回路３９は、送信回路３３を制御することにより、親機１００へ対して呼出信号を送信する。
【００２５】
続くＳ４ステップでは、制御回路３９は内蔵しているタイマ（図示せず）により所定時間（例えば、３０秒）のカウントを開始させ、Ｓ５ステップへ処理を進める。
【００２６】
Ｓ５ステップでは、制御回路３９は、受信回路３１から親機１００からの応答信号を受信したと判定すると、Ｓ６ステップへ処理を進める。
【００２７】
Ｓ６ステップでは、制御回路３９は、前記Ｓ４ステップでカウント開始したタイマをクリアし、Ｓ７ステップへ処理を進める。
【００２８】
Ｓ７ステップでは、制御回路３９は、送信回路３３及び受信回路３１を制御することにより親機１００と無線接続する。続いて、ドアホン４００と親機１００との間で通話路を形成する。具体的には、親機２００から受信した音声信号は、受信回路３１、制御回路３９、コネクタ４５、充電器３００を介してドアホン４００へ出力される。一方、ドアホン４００から入力された音声信号は、充電器３００、コネクタ４５、制御回路３０、送信回路３３、を介して親機２００へ送信される。
【００２９】
Ｓ８ステップでは、制御回路３９は、受信回路３１から、親機１００がオンフック操作されたことを示す信号を検出すると、続くＳ９ステップで、親機１００と子機２００との間の通話路を断とし、待ち受け状態に戻る。
【００３０】
Ｓ１０ステップでは、制御回路３９は、Ｓ４ステップでカウント開始したタイマが所定時間（例えば３０秒）経過したと判定するとＳ１ステップへ処理を戻し、そうでなければＳ１１ステップへ処理を進める。
【００３１】
Ｓ１１ステップでは、制御回路３９は、オフフック状態となったか否かを判定する。具体的には、通話キー４４１が操作されたと判定すると、Ｓ１２ステップへ処理を進め、そうでなければＳ５ステップへ処理を戻す。
【００３２】
Ｓ１２ステップでは、制御回路３９は、ドアホン４００と子機２００との間で通話路を形成する。具体的には、制御回路３９は、マイク４６から入力した音声信号を、コネクタ４５と、充電器３００を介してドアホン４００に出力すると共に、ドアホン４００から入力した音声信号を、充電器３００とコネクタ４５を介して入力し、スピーカ４２から出力する。
【００３３】
続くＳ１３ステップでは、制御回路３９は、オンフックされたか否かを判定する。具体的には、切キー４４２を押下したと判定すると、Ｓ１３ステップへ処理を進め、そうでなければＳ１２ステップへ処理を戻す。
【００３４】
Ｓ１４ステップでは、制御回路３９は、ドアホン４００とスピーカ４２、ドアホン４００とマイク４６との間の通話路を遮断する。
【００３５】
次に親機１００の動作を図５を用いて以下に説明する。先ずＳ２０ステップにおいて、制御回路２３は、受信回路１８から、子機２００からの呼出信号があることを示す信号を検出すると、ドアホン呼出があると判定し、Ｓ２１ステップへ処理を進める。尚、Ｓ２０ステップで親機１００が受信する信号は、子機が図４のＳ３ステップで送信する信号である。
【００３６】
Ｓ２１ステップでは、制御回路２３は、スピーカ２６から呼び出し音を出力させる。
【００３７】
続くＳ２２ステップでは、制御回路２３は、内部のタイマを駆動させ、所定時間（例えば、３０秒）のカウントを開始させ、Ｓ２３ステップへ処理を進める。
【００３８】
Ｓ２３ステップでは、制御回路２３は、上記Ｓ２２ステップで開始したタイマのカウントが３０秒を経過したと判定すると、Ｓ２３ステップへ処理を戻し、そうでなければＳ２４ステップへ処理を進める。
【００３９】
Ｓ２４ステップでは、制御回路２３は、スイッチ２９からの検出信号によりハンドセットがオフフックされたと判定すると、送信回路２０を制御することによりオフフックされたことを示す信号を子機２００へ送信させ、Ｓ２５ステップへ処理を進め、そうでなければＳ２３ステップへ処理を戻す。尚、Ｓ２４ステップで子機２００へ送信される信号は、図４のＳ５ステップで子機２００が受信する信号である。
【００４０】
Ｓ２５ステップでは、制御回路２３は、子機２００を介してドアホン４００と親機１００との間でドアホン通話を開始する。具体的には、制御回路２３は、マイク３１から入力された音声信号を送受信回路２０を制御することにより親機２００へ送信する。一方、子機１００から受信した音声信号は受信回路１８で受信され、スピーカ２６から出力される。
【００４１】
続くＳ２６ステップでは、制御回路２３は、スイッチ２９からオンフックされたことを示す信号を検出すると、Ｓ２７ステップへ処理を進め、そうでなければＳ２５ステップへ処理を戻す。
【００４２】
Ｓ２７ステップでは、制御回路２３は、送信回路２０を制御することにより、オンフックしたことを示す信号を子機２００へ送信させ、通話を終了する。尚、Ｓ２７ステップで親機１００から送信される信号は、図４のＳ８、Ｓ９ステップにおいて、子機２００が受信する信号に相等する。
次に本発明を適用してなる第２実施例装置について以下に説明する。
【００４３】
第２の実施例装置と第１の実施例装置とで異なる点は、第１の実施例装置では、図１に示すようにドアホン４００と充電器３００とを接続しているのに対し、第２の実施例装置では、ドアホン４００と子機２００とを接続している点にある。
【００４４】
図６は第２実施例装置のシステム図である。図６において、子機２００とドアホン４００がケーブルで接続されている。他の点は第１実施例装置のシステム構成と同様である為説明を省略する。
【００４５】
図７は第２実施例装置の子機２００のブロック図である。図７に示すように、子機２００のコネクタ４５を介して、ドアホン４００と子機２００とが接続されている。子機２００のほかの構成及び親機１００の構成は第１実施例と同様の構成である為説明を省略する。又、子機２００は、図４及び図５に示す第１実施例と同様な動作を行うため、説明を省略する。
【００４６】
このように、第２実施例装置では、子機２００とドアホン４００とを接続する構成である為、第１実施例装置のように、充電器３００に別途コネクタ３１０、３２０を設ける必要がなく、コストダウンを実現することができる。
【００４７】
以上説明したように、本実施例装置では、子機２００又は充電器３００をドアホン４００と接続し、ドアホン４００からの呼出信号や音声信号を子機２００を介して親機１００へ無線で送出することが可能である為、親機１００を載置する場所は子機２００と親機１００とで無線でリンクできる範囲内であればどこでも良い。このように、親機１００を載置する場所の自由度を向上することができるだけでなく、ケーブル配線の工事を行う必要がない。
【００４８】
尚、本実施例では、スピーカとマイクを用いてドアホン４００と親機１００で通話できるようにしたが、親機１００のハンドセットを用いてドアホン通話を行う構成としても良い。
【００４９】
又、本実施例では、アナログコードレス電話について実施したが、デジタルコードレス電話について実施することも可能である。
【図面の簡単な説明】
【００５０】
【図１】本発明を適用してなる第１実施例のシステム図である。
【図２】第１実施例の親機ブロック図である。
【図３】第１実施例の子機ブロック図である。
【図４】第１実施例の親機動作を示すフロー図である。
【図５】第１実施例の子機動作を示すフロー図である。
【図６】第２実施例のシステム図である。
【図７】第２実施例の子機ブロック図である。
【符号の説明】
【００５１】
３９  ・・・・制御回路
４５  ・・・・コネクタ
１００・・・・親機
２００・・・・子機
３００・・・・充電器
３１０・・・・コネクタ
３２０・・・・コネクタ
４００・・・・ドアホン
【図１】
2007088869.tif 000003
【図２】
2007088869.tif 000004
【図３】
2007088869.tif 000005
【図４】
2007088869.tif 000006
【図５】
2007088869.tif 000007
【図６】
2007088869.tif 000008
【図７】
2007088869.tif 000009